(57)【要約】【課題】登録装置と精算装置とを備えるＰＯＳシステムにおいて、精算装置を有効活用することができる。【解決手段】ＰＯＳシステム１は、買上商品を登録する登録処理を実行する登録装置２０と、登録装置２０における登録処理によって登録された商品について精算する精算処理を実行する精算装置３０とを含む。精算装置３０は、精算処理を実行する精算処理モードと、精算処理を介さずにプリペイド式決済媒体の入金処理を実行する入金処理モードとに切り替えて動作することが可能である。【選択図】図１
2019016018.tif 000002
【特許請求の範囲】
【請求項１】
買上商品を登録する登録処理を実行する登録装置と、前記登録装置における登録処理によって登録された商品について精算する精算処理を実行する精算装置とを含むＰＯＳシステムにおいて、
前記精算装置は、前記精算処理を実行する精算処理モードと、前記精算処理を介さずにプリペイド式決済媒体の入金処理を実行する入金処理モードとに切り替えて動作することが可能である
ことを特徴とするＰＯＳシステム。
【請求項２】
前記精算処理モードはセミセルフモードを含む
ことを特徴とする請求項１に記載のＰＯＳシステム。
【請求項３】
前記セミセルフモードは、店員により前記登録装置で登録された買上商品を、顧客が前記精算装置で精算するモードである
ことを特徴とする請求項２に記載のＰＯＳシステム。
【請求項４】
前記登録装置と前記精算装置とを一体型の装置とし、当該装置の一方の面と他方の面とに、前記登録装置の操作部と前記精算装置の操作部とをそれぞれ設けた
ことを特徴とする請求項１から請求項３のいずれか１項に記載のＰＯＳシステム。
【請求項５】
前記精算装置は、前記登録処理を実行する機能を備える
ことを特徴とする請求項１から請求項４のいずれか１項に記載のＰＯＳシステム。
【請求項６】
前記精算処理モードは、顧客が、前記精算装置で前記買上商品を登録し、当該精算装置で登録した買上商品を当該精算装置で精算するモードである
ことを特徴とする請求項５に記載のＰＯＳシステム。
【請求項７】
前記精算処理モードは、店員による商品登録と、顧客による商品登録とを並行して実行可能であるモードを含む
ことを特徴とする請求項５または請求項６に記載のＰＯＳシステム。
【請求項８】
前記精算装置は、前記入金処理モードのときに、前記登録処理によって登録されたデータを取得すると、前記セミセルフモードに切り替えて動作する
ことを特徴とする請求項請求項２から請求項７のいずれか１項に記載のＰＯＳシステム。
【請求項９】
前記登録装置は、
前記精算装置の動作状況を示す情報を受信し、
前記入金処理モードで動作しており、かつ使用中の前記精算装置に対しては、前記登録処理によって登録したデータの送信を禁止する
ことを特徴とする請求項１から請求項８のいずれか１項に記載のＰＯＳシステム。
【請求項１０】
前記登録装置は表示部を備え、前記精算処理モードで動作しているときと、前記入金処理モードで動作しているときとで、異なる表示を行う
ことを特徴とする請求項１から請求項９のいずれか１項に記載のＰＯＳシステム。
【請求項１１】
買上商品を登録する登録処理を実行する登録装置と、前記登録装置における登録処理によって登録された商品について精算する精算処理を実行する精算装置とを含むＰＯＳシステムにおける精算装置であって、
前記精算処理を実行する精算処理モードと、前記精算処理を介さずにプリペイド式決済媒体の入金処理を実行する入金処理モードとに切り替えて動作することが可能である
ことを特徴とする精算装置。
【請求項１２】
買上商品を登録する登録処理を実行する登録装置と、前記登録装置における登録処理によって登録された商品について精算する精算処理を実行する精算装置とを含むＰＯＳシステムにおける登録装置であって、
前記精算処理を実行する精算処理モードと、前記精算処理を介さずにプリペイド式決済媒体の入金処理を実行する入金処理モードとに切り替えて動作することが可能である前記精算装置の動作状況を示す情報を受信し、
前記入金処理モードで動作しており、かつ使用中の前記精算装置に対しては、前記登録処理によって登録したデータの送信を禁止する
ことを特徴とする登録装置。
【請求項１３】
買上商品を登録する登録処理を実行する登録装置と、前記登録装置における登録処理によって登録された商品について精算する精算処理を実行する精算装置とを含むＰＯＳシステムにおける精算装置として動作するコンピュータに、
前記精算処理を実行する精算処理モードと、前記精算処理を介さずにプリペイド式決済媒体の入金処理を実行する入金処理モードとに切り替えて動作するステップ
を実行させるためのプログラム。
【請求項１４】
買上商品を登録する登録処理を実行する登録装置と、前記登録装置における登録処理によって登録された商品について精算する精算処理を実行する精算装置とを含むＰＯＳシステムにおける登録装置として動作するコンピュータに、
前記精算処理を実行する精算処理モードと、前記精算処理を介さずにプリペイド式決済媒体の入金処理を実行する入金処理モードとに切り替えて動作することが可能である前記精算装置の動作状況を示す情報を受信するステップと、
前記入金処理モードで動作しており、かつ使用中の前記精算装置に対しては、前記登録処理によって登録したデータの送信を禁止するステップと、
を実行させるためのプログラム。
【発明の詳細な説明】
【技術分野】
【０００１】
本発明は、ＰＯＳシステム、精算装置、登録装置及びプログラムに関する。
【背景技術】
【０００２】
プリペイド式の媒体にチャージすることが可能な商品登録機が知られている（例えば、特許文献１参照）。また、商品の登録が行われる登録装置と、登録装置により登録された商品について精算を行う精算装置とが分離して構成されるＰＯＳシステムが知られている。このようなＰＯＳシステムでは、店員が登録装置により顧客の買上商品の登録を行い、顧客が自分の買上商品についての精算を精算装置にて行うことができる。これにより、例えば、商品代金の受領業務が無人化されることによる省力化や、買上商品の登録から精算終了までの時間の短縮が図られる。
【先行技術文献】
【特許文献】
【０００３】
【特許文献１】特開２０１７−０２７２２５号公報
【発明の概要】
【発明が解決しようとする課題】
【０００４】
しかしながら、登録装置を操作する店員がいない場合には、対応する精算装置は利用されない。そのため、精算装置を利用できない時間帯ができることがあり、精算装置を常に有効活用できているわけではない。また、特許文献１には、商品登録機でプリペイド式の媒体にチャージすることが可能なことしか記載されていない。
【０００５】
本発明は、このような事情に鑑みてなされたもので、登録装置と精算装置とを備えるＰＯＳシステムにおいて、精算装置を有効活用することができるＰＯＳシステム、精算装置、登録装置及びプログラムを提供することを目的とする。
【課題を解決するための手段】
【０００６】
上述した課題を解決する本発明の一態様は、買上商品を登録する登録処理を実行する登録装置と、前記登録装置における登録処理によって登録された商品について精算する精算処理を実行する精算装置とを含むＰＯＳシステムにおいて、前記精算装置は、前記精算処理を実行する精算処理モードと、前記精算処理を介さずにプリペイド式決済媒体の入金処理を実行する入金処理モードとに切り替えて動作することが可能であることを特徴とするＰＯＳシステムである。
【０００７】
また、本発明の一態様は、上記のＰＯＳシステムにおいて、前記精算処理モードはセミセルフモードを含むことを特徴とする。
【０００８】
また、本発明の一態様は、上記のＰＯＳシステムにおいて、前記セミセルフモードは、店員により前記登録装置で登録された買上商品を、顧客が前記精算装置で精算するモードであることを特徴とする。
【０００９】
また、本発明の一態様は、上記のＰＯＳシステムにおいて、前記登録装置と前記精算装置とを一体型の装置とし、当該装置の一方の面と他方の面とに、前記登録装置の操作部と前記精算装置の操作部とをそれぞれ設けたことを特徴とする。
【００１０】
また、本発明の一態様は、上記のＰＯＳシステムにおいて、前記精算装置は、前記登録処理を実行する機能を備えることを特徴とする。
【００１１】
また、本発明の一態様は、上記のＰＯＳシステムにおいて、前記精算処理モードは、顧客が、前記精算装置で前記買上商品を登録し、当該精算装置で登録した買上商品を当該精算装置で精算するモードであることを特徴とする。
【００１２】
また、本発明の一態様は、上記のＰＯＳシステムにおいて、前記精算処理モードは、店員による商品登録と、顧客による商品登録とを並行して実行可能であるモードを含むことを特徴とする。
【００１３】
また、本発明の一態様は、上記のＰＯＳシステムにおいて、前記精算装置は、前記入金処理モードのときに、前記登録処理によって登録されたデータを取得すると、前記セミセルフモードに切り替えて動作することを特徴とする。
【００１４】
また、本発明の一態様は、上記のＰＯＳシステムにおいて、前記登録装置は、前記精算装置の動作状況を示す情報を受信し、前記入金処理モードで動作しており、かつ使用中の前記精算装置に対しては、前記登録処理によって登録したデータの送信を禁止することを特徴とする。
【００１５】
また、本発明の一態様は、上記のＰＯＳシステムにおいて、前記登録装置は表示部を備え、前記精算処理モードで動作しているときと、前記入金処理モードで動作しているときとで、異なる表示を行うことを特徴とする。
【００１６】
また、本発明の一態様は、買上商品を登録する登録処理を実行する登録装置と、前記登録装置における登録処理によって登録された商品について精算する精算処理を実行する精算装置とを含むＰＯＳシステムにおける精算装置であって、前記精算処理を実行する精算処理モードと、前記精算処理を介さずにプリペイド式決済媒体の入金処理を実行する入金処理モードとに切り替えて動作することが可能であることを特徴とする精算装置である。
【００１７】
また、本発明の一態様は、買上商品を登録する登録処理を実行する登録装置と、前記登録装置における登録処理によって登録された商品について精算する精算処理を実行する精算装置とを含むＰＯＳシステムにおける登録装置であって、前記精算処理を実行する精算処理モードと、前記精算処理を介さずにプリペイド式決済媒体の入金処理を実行する入金処理モードとに切り替えて動作することが可能である前記精算装置の動作状況を示す情報を受信し、前記入金処理モードで動作しており、かつ使用中の前記精算装置に対しては、前記登録処理によって登録したデータの送信を禁止することを特徴とする登録装置である。
【００１８】
また、本発明の一態様は、買上商品を登録する登録処理を実行する登録装置と、前記登録装置における登録処理によって登録された商品について精算する精算処理を実行する精算装置とを含むＰＯＳシステムにおける精算装置として動作するコンピュータに、前記精算処理を実行する精算処理モードと、前記精算処理を介さずにプリペイド式決済媒体の入金処理を実行する入金処理モードとに切り替えて動作するステップを実行させるためのプログラムである。
【００１９】
また、本発明の一態様は、買上商品を登録する登録処理を実行する登録装置と、前記登録装置における登録処理によって登録された商品について精算する精算処理を実行する精算装置とを含むＰＯＳシステムにおける登録装置として動作するコンピュータに、前記精算処理を実行する精算処理モードと、前記精算処理を介さずにプリペイド式決済媒体の入金処理を実行する入金処理モードとに切り替えて動作することが可能である前記精算装置の動作状況を示す情報を受信するステップと、前記入金処理モードで動作しており、かつ使用中の前記精算装置に対しては、前記登録処理によって登録したデータの送信を禁止するステップと、を実行させるためのプログラムである。
【発明の効果】
【００２０】
本発明によれば、登録装置と精算装置とを備えるＰＯＳシステムにおいて、精算装置を有効活用することができる。
【図面の簡単な説明】
【００２１】
【図１】本発明の実施形態におけるＰＯＳシステムの構成例を示す図である。
【図２】本発明の実施形態における登録装置の構成例を示す図である。
【図３】本発明の実施形態における精算装置の構成例を示す図である。
【図４】本発明の実施形態における登録装置と精算装置の外観例を示す図である。
【図５】本発明の実施形態における精算装置の外観例を示す図である。
【図６】本発明の実施形態における精算装置に表示される画面の一例を示した図である。
【図７】本発明の実施形態における精算装置に表示される画面の一例を示した図である。
【図８】本発明の実施形態における精算装置が入金処理を行う際に表示される画面の一例を示した図である。
【図９】本発明の実施形態における精算装置が入金処理を行う際に表示される画面の一例を示した図である。
【図１０】本発明の実施形態における精算装置が入金処理を行う際に表示される画面の一例を示した図である。
【図１１】本発明の実施形態における精算装置が入金処理を行う際に表示される画面の一例を示した図である。
【図１２】本発明の実施形態における精算装置が入金処理を行う際に表示される画面の一例を示した図である。
【図１３】本発明の実施形態における精算装置の動作モードの変更処理について説明するフローチャートである。
【図１４】本発明の実施形態における登録装置の表示部（店員用）に表示される精算装置指定画面の一例を示した図である。
【図１５】セミセルフモードで動作しているときの精算装置が表示する、支払い方法を選択させる画面の例を示した図である。
【図１６】セミセルフモードで動作しているときの精算装置が表示する、預かり金額等を表示する画面を示した図である。
【図１７】登録装置の表示部（店員用）に表示される精算装置を選択する画面である。
【図１８】前面側と背面側に表示部および操作部をそれぞれ設けた精算装置の外観例を示した図である。
【発明を実施するための形態】
【００２２】
以下、本発明の実施形態について図面を参照して説明する。図１は、本実施形態に係るＰＯＳ（Ｐｏｉｎｔ  Ｏｆ  Ｓａｌｅｓ）システムの構成例を示している。同図に示すＰＯＳシステムは、ストアコントローラ１０と、登録装置２０と、３台の精算装置３０とを含んで構成されている。ストアコントローラ１０と、登録装置２０と、３台の精算装置３０とは、有線または無線接続のＬＡＮ（Ｌｏｃａｌ  Ａｒｅａ  Ｎｅｔｗｏｒｋ）１１で相互に通信が可能なように接続されている。
【００２３】
なお、同図に示したＰＯＳシステムの構成は一例である。例えば、ＰＯＳシステムの構成として、２台以上の登録装置２０を含む構成としてもよいし、２台以下または４台以上の精算装置３０を含む構成としてもよい。また、ＰＯＳシステムの構成として、ストアコントローラ１０を含まない構成としてもよい。なお、ＰＯＳシステムの構成として、ストアコントローラ１０を含まない構成とする場合には、他の装置（例えば、登録装置２０、２以上の登録装置２０がある場合には代表する１台の登録装置２０）に、ストアコントローラ１０としての機能を兼用させてもよい。
【００２４】
ストアコントローラ１０は、ＰＯＳシステムを制御するコンピュータであり、商品マスタなどの種々の情報を管理する。ストアコントローラ１０は、登録装置２０及び各精算装置３０に、最新の商品マスタを適宜送信する。商品マスタとは、各商品の商品識別情報（例えば、ＪＡＮコード）、商品名（品名、アイテム名）、販売価格、値引き情報などの商品情報を格納したファイルである。ストアコントローラ１０は、最新の商品情報が反映された商品マスタを、外部（例えば、本部のサーバ、ＣＤ−ＲＯＭ等の媒体）から取得し、登録装置２０及び各精算装置３０に適宜送信する。
【００２５】
登録装置２０は、購入対象の商品を登録する登録処理を実行する。商品の登録は、例えば、スキャナを用いて、商品に付されているバーコードを読み取るか、商品登録画面に表示されたプリセットボタン等を操作することにより行われる。また、登録装置２０は、登録された商品に関する情報（以下、登録データという）を生成し、記憶する。
【００２６】
登録データは、当該登録データを識別するための登録データ識別情報、登録日時、登録された各商品の商品識別情報、登録された各商品の商品名、販売価格、値引き情報、購入対象の商品の品数を示す取引点数（購入点数）、購入対象の商品の総額（合計金額）を含む。また、登録データは、当該登録データを生成した登録装置２０（すなわち、当該登録データに係る商品を登録した登録装置２０）を識別するための登録装置識別情報を更に含むものであってもよい。
【００２７】
登録データは、精算装置３０において精算処理に用いられる。精算処理とは、登録された商品の代金を、現金、電子マネー（プリペイド式決済媒体）、クレジットカードなどを選択的に用いて支払い、決済する処理である。
【００２８】
なお、本実施の形態では、複数の精算装置３０が存在するが、複数のうちのいずれか１台が、登録装置２０において生成された登録データを用いて精算処理を実行する。複数の精算装置３０のうちから、精算処理を実行させるべき精算装置３０を指定する態様としては、精算処理を実行させる精算装置３０を、店員が登録装置２０にて指定する態様がある。すなわち、店員が、精算装置３０を指定する操作を登録装置２０に対して行うことによって、複数の精算装置３０のうちから精算処理を実行させる精算装置３０を指定する。なお、登録装置２０において、各精算装置３０の稼働状況を示した稼働情報を表示するようにし、登録装置２０において、店員が精算装置３０を指定する際に、各精算装置３０の稼働状況を確認できるようにしてもよい。
【００２９】
店員が一の精算装置３０を指定した場合には、ＬＡＮ１１を介して、登録装置２０において生成された登録データが、指定された精算装置３０に送信される。すなわち、登録装置２０は、登録処理に続いて精算装置３０が指定された場合には、指定された精算装置３０に対し、当該登録処理に基づく登録データを送信する。なお、本実施の形態では、登録装置２０は、直接、精算装置３０に登録データを送信するが、ストアコントローラ１０を経由して、精算装置３０に登録データを送信してもよい。
【００３０】
精算装置３０は、店員が登録装置において顧客が買い上げる買上商品を登録し、顧客が精算装置において登録された商品を精算するセミセルフモードと、顧客がプリペイド式決済媒体に入金を行う入金処理モードとの２つの動作モードを有する。
【００３１】
精算装置３０は、セミセルフモードで動作するときには、顧客の操作に応じて、登録装置において登録された商品の精算処理を実行する。すなわち、精算装置３０は、登録装置２０から受信した登録データに基づいて、精算処理を実行する。また、精算装置３０は、セミセルフモードで動作するときに精算処理を終了した場合には、登録装置２０に精算処理の終了を通知する。
【００３２】
また、精算装置３０は、入金処理モードで動作するときには、顧客の操作に応じて、電子マネー（プリペイド式決済媒体）に入金（チャージ）する。
【００３３】
次に、図２〜図５を参照して、登録装置２０及び精算装置３０の構成例について説明する。図２は、登録装置２０の構成例を示すブロック図である。図３は、精算装置３０の構成例を示すブロック図である。図４は、登録装置２０と精算装置３０との外観例を示す斜視図である。図５は、精算装置３０の外観例を示す斜視図である。
【００３４】
登録装置２０は、図２に示すように、ＣＰＵ（Ｃｅｎｔｒａｌ  Ｐｒｏｃｅｓｓｉｎｇ
Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、スキャナ部２０４と、表示部（店員用）２０５と、表示部（客用）２０５ａと、操作部２０６と、通信部２０７と、ブザー２０８と、印刷部２０９とを備える。これらは、バスを介して相互に通信可能である。
【００３５】
ＣＰＵ２０１は、中央演算処理装置であり、ＲＯＭ２０２に記憶されているプログラムを読み出して実行することにより、登録装置２０の動作を制御する。
ＲＯＭ２０２は、読み出し専用メモリであり、プログラムをはじめとしてＣＰＵ２０１が利用する各種の情報を記憶する。
【００３６】
ＲＡＭ２０３は、随時読み出し書き込みメモリであり、種々の情報を記憶する。例えば、ＲＡＭ２０３は、ストアコントローラ１０から取得した商品マスタや、登録処理後に生成された登録データや、精算処理を実行させる精算装置３０に関する情報を記憶する。また、ＲＡＭ２０３は、精算装置３０から受信した稼働情報などを記憶してもよい。スキャナ部２０４は、商品に付されているバーコード（商品コード）を光学的に読み取る。
【００３７】
表示部（店員用）２０５は、タッチパネル（例えば、液晶タッチパネル）であり、店員用の種々の情報を表示する。例えば、表示部（店員用）２０５は、商品情報（商品コード等）に関連付けられているプリセットボタンを配置した商品登録画面などを表示する。
【００３８】
表示部（客用）２０５ａは、顧客用の種々の情報を表示する。例えば、表示部（客用）２０５ａは、登録した商品の価格等を表示する。表示部（客用）２０５ａは、タッチパネル（例えば、液晶タッチパネル）であってもよい。
【００３９】
操作部２０６は、登録装置２０を動作させるための各種の操作ボタン（小計キー、現計キー、置数キー、訂正キー、及びプリセットキー等）を備える。例えば、操作部２０６は、操作ボタン（プリセットキー）が操作されることにより、そのプリセットキーに予め設定登録されている商品情報（商品コード等）について、操作入力を受け付ける。
【００４０】
通信部２０７は、ＬＡＮ１１を介して、他の装置と通信する。ブザー２０８は、店員が操作を確認することが必要な場合などに、ブザー音を発生させる。印刷部２０９は、必要に応じて媒体を印刷して発行する。例えば、印刷部２０９は、店員が指定した精算装置３０を案内する情報を印刷してもよい。
【００４１】
図４においては、スキャナ部２０４、表示部（店員用）２０５、操作部２０６、印刷部２０９の外観構成を示している。
【００４２】
精算装置３０は、図３に示すように、ＣＰＵ３０１と、ＲＯＭ３０２と、ＲＡＭ３０３と、スキャナ部３０４と、表示部３０５と、操作部３０６と、通信部３０７と、ブザー３０８と、印刷部３０９と、決済部３１０と、サインポール３１１と、人感知センサ３１２とを備える。これらは、バスを介して相互に通信可能である。
【００４３】
ＣＰＵ３０１は、中央演算処理装置であり、ＲＯＭ３０２に記憶されているプログラムを読み出して実行することにより、精算装置３０の動作を制御する。
ＲＯＭ３０２は、読み出し専用メモリであって、プログラムをはじめとしてＣＰＵ３０１が利用する各種の情報を記憶する。
【００４４】
ＲＡＭ３０３は、随時読み出し書き込みメモリであって、種々の情報を記憶する。例えば、ＲＡＭ３０３は、ストアコントローラ１０から取得した商品マスタや、登録装置２０から取得した登録データを記憶する。
スキャナ部３０４は、例えば、商品に付されているバーコード（商品コード）や、会員カード等に付されているバーコード（会員コード）を光学的に読み取る。
【００４５】
表示部３０５は、タッチパネル（例えば、液晶タッチパネル）であり、種々の情報を表示する。例えば、表示部３０５は、合計金額などが表示される精算画面を表示する。
【００４６】
操作部３０６は、精算装置３０を動作させるための各種の操作ボタン（訂正キー及びプリセットキー等）を備える。例えば、操作部３０６は、操作ボタン（訂正キー）が操作されることにより、操作入力の訂正を受け付ける。
【００４７】
通信部３０７は、ＬＡＮ１１を介して、他の装置と通信する。ブザー３０８は、エラー等が発生した場合、エラーを報知するブザー音を発生させる。印刷部３０９は、媒体を印刷して発行する。例えば、印刷部３０９は、精算処理（すなわち商品の買上金額の決済）が終了した場合、精算結果を示し顧客が持ち帰るべきレシートを印刷して発行する。
【００４８】
決済部３１０は、釣銭釣札機、クレジットカードリーダ、電子マネーリーダライタ等と、それらの制御部とを備えて構成されている。
【００４９】
精算装置３０は、セミセルフモードで動作するときには、決済部３１０を用いて現金、クレジット、電子マネー等により決済処理を行う。現金により決済処理を行う場合、決済部３１０は、釣銭釣札機によって、現金により決済を実行し、決済を実行した結果（例えば、決済が成立したか否かを示す情報）を、バスを介してＣＰＵ３０１に出力する。釣銭釣札機は、紙幣の投入及び排出をする紙幣投入口、硬貨を投入するための硬貨投入口、釣銭を排出する釣銭排出口を備えている。なお、以降の説明にあたり、紙幣投入口と硬貨投入口とについて一括して貨幣投入口と呼ぶ場合がある。また、クレジットにより決済処理を行う場合、決済部３１０は、クレジットにより決済を実行し、決済を実行した結果を、ポート及びバスを介してＣＰＵ３０１に出力する。また、電子マネーにより決済処理を行う場合、決済部３１０は、電子マネーにより決済を実行し、決済を実行した結果を、バスを介してＣＰＵ３０１に出力する。
【００５０】
また、精算装置３０は、入金処理モードで動作するときには、決済部３１０を用いて、電子マネー（プリペイド式決済媒体）に入金処理を行う。具体的には、精算装置３０のＣＰＵ３０１は、決済部３１０の釣銭釣札機によって現金の投入を受け付け、決済部３１０の電子マネーリーダライタを用いて電子マネーと通信を行って、釣銭釣札機が受け付けた現金に応じた金額を電子マネーに入金（チャージ）する。
【００５１】
サインポール３１１は、複数色の表示灯を有し、それらの表示灯を点灯や点滅させることで、精算装置３０が店員により指定された装置であることを示す情報を報知したり、操作可能である旨を報知したり、精算装置３０の動作モードを報知したりする。人感知センサ３１２は、精算装置３０の正面の所定圏内に人物（顧客）がいることを検知するセンサである。
【００５２】
図５においては、スキャナ部３０４、表示部３０５、決済部３１０、及びサインポール３１１などの外観構成を示している。
【００５３】
精算装置３０は、セミセルフモード時には、登録装置２０において登録された商品の精算処理を実行する。すなわち、精算装置３０がセミセルフモードのときは、店員が登録装置２０において商品を登録し、顧客が精算装置３０を操作して登録装置２０において登録された商品の精算をする。また、精算装置３０は、入金処理モード時には、電子マネーの入金処理を行う。すなわち、精算装置３０が入金処理モードのときは、顧客が精算装置３０を操作して電子マネーへの入金を行う。
【００５４】
精算装置３０は、上述したとおり、セミセルフモードと入金処理モードとで動作することが可能である。また、精算装置３０のＣＰＵ３０１（モード変更手段）は、動作モードをセミセルフモードと入金処理モードとのいずれかに切り替え可能である。例えば、ＣＰＵ３０１は、所定の条件が満たされた場合に、動作モードを切り替える。
【００５５】
なお、所定の条件は、どのような条件であってもよい。また、所定の条件は、複数の条件を組み合わせてもよい。例えば、精算装置３０がセミセルフモードで動作しているときに、一定時間（例えば１０分間）精算処理で使用されていない場合、精算装置３０のＣＰＵ３０１は、動作モードを入金処理モードに切り替えるようにしてもよい。また、例えば、精算装置３０が入金処理モードで動作しているときに、登録装置２０から登録データが送信された場合、精算装置３０のＣＰＵ３０１は、動作モードをセミセルフモードに切り替えるようにしてもよい。
【００５６】
また、精算装置３０のＣＰＵ３０１は、時刻に応じて動作モードを切り替えるようにしてもよい。例えば、精算装置３０のＣＰＵ３０１は、１０時から１５時の間および２０時から２３時の間においては動作モードを入金処理モードとし、１５時から２０時の間においては動作モードをセミセルフモードとしてもよい。
【００５７】
また、精算装置３０がモード切替スイッチを備えている場合、モード切替スイッチが操作されたときに、精算装置３０のＣＰＵ３０１は、動作モードを切り替えるようにしてもよい。具体的には、精算装置３０が入金処理モードで動作しているときに、モード切替スイッチが操作された場合、精算装置３０のＣＰＵ３０１は、動作モードをセミセルフモードに切り替えるようにしてもよい。また、精算装置３０がセミセルフモードで動作しているときに、モード切替スイッチが操作された場合、精算装置３０のＣＰＵ３０１は、動作モードを入金処理モードに切り替えるようにしてもよい。
【００５８】
また、ストアコントローラ１０や登録装置２０から精算装置３０に対して、モード切替指示を送信するようにしてもよい。具体的には、精算装置３０が入金処理モードで動作しているときに、ストアコントローラ１０または登録装置２０からモード切替指示が送信された場合、精算装置３０のＣＰＵ３０１は、動作モードをセミセルフモードに切り替えるようにしてもよい。また、精算装置３０がセミセルフモードで動作しているときに、ストアコントローラ１０または登録装置２０からモード切替指示が送信された場合、精算装置３０のＣＰＵ３０１は、動作モードを入金処理モードに切り替えるようにしてもよい。
【００５９】
なお、精算装置３０が顧客によって操作されているときなど、精算装置３０が使用されているときには、精算装置３０の動作モードの切替を禁止する。具体例としては、精算装置３０のＣＰＵ３０１は、精算装置３０が精算処理や入金処理などの処理を実行しているときに所定の条件が満たされた場合、実行中の処理が終了した後に、精算装置３０の動作モードを切り替える。
【００６０】
また、精算装置３０が入金処理モードで使用されているときに精算装置３０の動作モードがセミセルフモードに切り替わらないように、登録装置２０は、入金処理モードで使用されている精算装置３０に対しては登録データの送信を禁止するようにしてもよい。これにより、入金処理モードで使用されている精算装置３０には登録データが送信されない。よって、精算装置３０のＣＰＵ３０１は、入金モードで使用されているときには、登録データが送信されたことに基づいて動作モードをセミセルフモードに切り替えることがなくなる。
【００６１】
なお、精算装置３０は、自装置がセミセルフモードで動作しているか、入金処理モードで動作しているか、使用中であるか、待機中（未使用中）であるか等、自装置の状態を示す情報を、登録装置２０に対して送信する。これにより、登録装置２０は、精算装置３０がセミセルフモードで動作しているか、入金処理モードで動作しているか、使用中であるか、待機中（未使用中）であるか等を判定することができる。
【００６２】
次に、精算装置３０が使用中に表示する画面について説明する。図６及び図７は、精算装置３０が使用中に表示する画面の一例である。
【００６３】
精算装置３０は、セミセルフモードで動作し、使用中のときには、図６に示すような精算画面６００を表示部３０５に表示する。本図に示す精算画面６００には、登録装置２０において登録された商品の買上点数「２点」６０１と、その合計金額「￥２７６」６０２と、支払い方法の選択を促すメッセージ「現金、クレジットがご使用になれます。右側のボタンを押して、お支払い方法をお選びください」６０３と、現金での支払いを選択する現金ボタン６０４と、クレジットでの支払いを選択するクレジットボタン６０５とが表示されている。顧客は、現金ボタン６０４またはクレジットボタン６０５を押下して支払い方法を選択し、商品を精算する。
【００６４】
また、精算装置３０は、入金処理モードで動作し、使用中のときには、図７に示すような入金処理待機画面７００を表示部３０５に表示する。入金処理待機画面７００には、入金（チャージ）する電子マネーの選択を促すメッセージ「チャージする電子マネーを選択してください」７０１と、電子マネーＡを選択するためのボタン７０２と、電子マネーＢを選択するためのボタン７０３と、電子マネーＣを選択するためのボタン７０４と、電子マネーＤを選択するためのボタン７０５とが表示されている。顧客は、チャージする電子マネーに対応するボタン７０２〜７０５のいずれかを押下する。チャージする電子マネーに対応するボタン７０２〜７０５が押下された場合、精算装置３０のＣＰＵ３０１は、入金処理を開始する。
【００６５】
図６および図７に示すように、精算装置３０は、セミセルフモードで動作しているときと、入金処理モードで動作しているときとで、表示部３０５に異なる画像を表示する。これにより、顧客や店員は、精算装置３０の表示部３０５に表示されている画像を見ることで、精算装置３０がセミセルフモードで動作しているか、入金処理モードで動作しているかを容易に認識することができる。さらに、入金処理モードで動作しているときにおいて、入金（チャージ）する電子マネーの種類毎に、表示部３０５に異なる画像を表示するようにしてもよい。これにより、顧客や店員は、精算装置３０の表示部３０５に表示されている画像を見ることで、どの種類の電子マネーの入金処理を行っているかを容易に認識することができる。
【００６６】
なお、精算装置３０は、セミセルフモードで動作しているときと、入金処理モードで動作しているときとで、サインポール３１１の表示灯の色を変更するようにしてもよい。例えば、精算装置３０は、セミセルフモードで動作しているときはサインポール３１１の表示灯を青色で点灯させ、入金処理モードで動作しているときはサインポール３１１の表示灯をオレンジ色で点灯させるようにしてもよい。これにより、顧客や店員は、精算装置３０のサインポール３１１の表示灯の色を見ることで、精算装置３０がセミセルフモードで動作しているか、入金処理モードで動作しているかを容易に認識することができる。また、顧客や店員は、精算装置３０のサインポール３１１の表示灯の色を見ることで、遠目からでも精算装置３０の動作モードを知ることができる。
【００６７】
次に、入金処理を行うときの画面遷移について説明する。図８〜図１２は、精算装置３０が入金処理を行う際に、表示部３０５に表示する画面例を示した図である。精算装置３０のＣＰＵ３０１は、図７に示した入金処理待機画面７００において、チャージする電子マネーに対応するボタン７０２〜７０５が押下された場合、精算装置３０のＣＰＵ３０１は入金処理を開始し、図８に示すチャージ金額選択画面８００を表示部３０５に表示する。
【００６８】
図８はチャージ金額選択画面８００を示した図である。チャージ金額選択画面８００には、入金（チャージ）する金額の選択を促すメッセージ「チャージ金額を選択してください」８０１と、１０００円を選択するためのボタン８０２と、３０００円を選択するためのボタン８０３と、５０００円を選択するためのボタン８０４と、１００００円を選択するためのボタン８０５とが表示されている。顧客は、チャージする金額に対応するボタン８０２〜８０５のいずれかを押下する。チャージする金額に対応するボタン８０２〜８０５が押下された場合、精算装置３０のＣＰＵ３０１は、図９に示す入金画面９００を表示部３０５に表示する。
【００６９】
図９は入金画面９００を示した図である。入金画面９００には、入金を促すメッセージ「お金を入れてください」９０１と、チャージ金額選択画面８００で選択したチャージ金額を示す表示９０２と、入金された金額を示す表示９０３とが表示されている。顧客は、チャージ金額選択画面９００で選択したチャージ金額以上となるまで、決済部３１０の釣銭釣札機に現金を入れる。決済部３１０の釣銭釣札機に現金が入れられた場合、精算装置３０のＣＰＵ３０１は入れられた金額に応じて、入金された金額を示す表示９０３を更新する。また、決済部３１０の釣銭釣札機に、チャージ金額選択画面９００で選択したチャージ金額以上の現金が入れられた場合、精算装置３０のＣＰＵ３０１は図１０に示すチャージ確認画面１０００を表示部３０５に表示する。
【００７０】
図１０はチャージ確認画面１０００を示した図である。チャージ確認画面１０００には、チャージの確認を促すメッセージ「よろしければチャージボタンを押してください」１００１と、チャージ金額選択画面８００で選択したチャージ金額を示す表示９０２と、入金された金額を示す表示９０３と、おつりの金額を示す表示１００２と、チャージの実行確認を入力するチャージボタン１００３が表示されている。顧客は、チャージの実行を確認した場合、チャージボタン１００３を押下する。チャージボタン１００３が押下された場合、精算装置３０のＣＰＵ３０１は図１１に示すカードタッチ指示画面１１００を表示部３０５に表示する。
【００７１】
図１１はカードタッチ指示画面１１００を示した図である。カードタッチ指示画面１１００には、決済部３１０の電子マネーリーダライタへの電子マネーのタッチを促すメッセージ「チャージ金額を確認しカードをタッチしてください」１１０１と、チャージ金額選択画面８００で選択したチャージ金額を示す表示９０２とが表示されている。顧客は電子マネーを決済部３１０の電子マネーリーダライタにタッチする。電子マネーが決済部３１０の電子マネーリーダライタにタッチされた場合、精算装置３０のＣＰＵ３０１は、タッチされた電子マネーに、チャージ金額を示す表示９０２に表示された金額をチャージ（入金）し、図１２に示すレシート出力画面１２００を表示部３０５に表示する。
【００７２】
図１２はレシート出力画面１２００を示した図である。レシート出力画面１２００には、レシートの受取りを促すメッセージ「レシートをお受け取りください  ありがとうございました」１２０１と、チャージ金額選択画面８００で選択したチャージ金額を示す表示９０２とが表示されている。精算装置３０のＣＰＵ３０１は、入金処理における入金（チャージ）金額の明細を印字したレシートを印刷部３０９に出力させ、おつりがある場合には決済部３１０の釣銭釣札機からおつりを排出させる。顧客は印刷部３０９から出力されたレシートを受け取り、おつりがある場合には、決済部３１０の釣銭釣札機から排出されたおつりを受け取る。
【００７３】
精算装置３０は、入金処理モードで動作して入金処理を実行する場合には、上述した処理を行う。これにより、精算装置３０は、電子マネーにチャージ（入金）を行うことができる。なお、精算装置３０による入金処理は、上述した処理に限らず、電子マネーにチャージ（入金）を行うことができればどのような処理であってもよい。
【００７４】
続いて、図１３のフローチャートを参照して、本実施形態の精算装置３０の動作モードの変更処理について説明する。精算装置３０のＣＰＵ３０１は、待機中（未使用中）のときに、図１３に示す処理を実行する。
【００７５】
（ステップＳ１０１）ＣＰＵ３０１は、上述した所定の条件を満たしたか否かを判定する。所定の条件を満たしたとＣＰＵ３０１が判定した場合には、ステップＳ１０２の処理に進む。また、所定の条件を満たしていないとＣＰＵ３０１が判定した場合には、ステップＳ１０１の処理を再度実行する。
【００７６】
（ステップＳ１０２）ＣＰＵ３０１は、現在の動作モードを判定する。現在の動作モードがセミセルフモードであると判定した場合にはステップＳ１０３の処理に進み、現在の動作モードが入金処理モードであると判定した場合にはステップＳ１０４の処理に進む。
【００７７】
（ステップＳ１０３）ＣＰＵ３０１は、動作モードを入金処理モードに切り替える。その後、処理を終了する。
（ステップＳ１０４）ＣＰＵ３０１は、動作モードをセミセルフモードに切り替える。その後、処理を終了する。
【００７８】
上述した処理により、精算装置３０のＣＰＵ３０１は、動作モードを切り替えることができる。よって、例えば精算装置３０が精算処理に使用されていないときには、電子マネーのチャージ装置として使用することができるため、精算装置３０を有効活用することができる。また、コスト面などで、電子マネーの専用チャージ装置を導入できない店舗においても、精算装置３０を電子マネーのチャージ装置として使用することができる。
【００７９】
以上、この発明の実施形態について図面を参照して詳述してきたが、具体的な構成はこの実施形態に限られるものではなく、この発明の要旨を逸脱しない範囲の設計等も含まれる。
【００８０】
例えば、上述した実施形態では、精算装置３０は、所定の条件を満たした場合に、動作モードを切り替えているが、動作モードの切り替え方法はこれに限られない。例えば、精算装置３０は、スキャナ部３０４が店員の所有する店員カードに付されたバーコード（店員コード）を読み取った場合に、動作モードを切り替えてもよい。或いは、精算装置３０は、登録装置２０またはストアコントローラ１０からの指示で動作モードを切り替えてもよい。
【００８１】
また、例えば、精算装置３０は、単位時間当たりに精算した人数に応じて、動作モードを切り替えてもよい。例えば、精算装置３０は、人数が所定の閾値以上である場合にはセミセルフモードで動作し、人数が所定の閾値より小さい場合には入金処理モードで動作する。また、精算装置３０は、前日や先週の同じ曜日の各時間帯における精算した人数に応じて、動作モードを切り替えてもよい。例えば、精算装置３０は、人数が所定の閾値以上である時間帯にはセミセルフモードで動作し、人数が所定の閾値より小さい時間帯には入金処理モードで動作する。
【００８２】
また、例えば、精算装置３０は、店員のシフト情報に基づいて動作モードを切り替えてもよい。例えば、精算装置３０は、シフトの入っている店員が所定の閾値以上である時間帯にはセミセルフモードで動作し、シフトの入っている店員が所定の閾値より少ない時間帯には入金処理モードで動作する。
【００８３】
また、例えば、登録装置２０から精算装置３０に対して登録データを送信する際に、送信先の精算装置を選択するが、このときに、登録装置２０の表示画面上で、入金処理モードで動作している精算装置３０を確認できるようにしてもよい。
【００８４】
図１４は、登録装置２０の表示部（店員用）２０５に表示される精算装置指定画面である。図示する例では、精算装置指定画面Ｐ２は、小計画面上に重畳して表示されるウィンドウ画面である。精算装置指定画面Ｐ２には、決済種別対応エリアＳＡＲ−１、ＳＡＲ−２、ＳＡＲ−３が配置されている。決済種別対応エリアＳＡＲ−１は、決済種別として現金による決済に対応する。決済種別対応エリアＳＡＲ−２は、決済種別としてクレジットカードによる決済に対応する。決済種別対応エリアＳＡＲ−３は、決済種別として電子マネーによる決済に対応する。
【００８５】
決済種別対応エリアＳＡＲ−１においては、対応の決済種別を示す「現金」との文字による決済種別表示ＰＳ−１が行われている。そのうえで、決済種別対応エリアＳＡＲ−１においては、精算装置３０−１、３０−２、３０−３、３０−４のそれぞれに対応する精算装置指定ボタンＤｂｔ−１、Ｄｂｔ−２、Ｄｂｔ−３、Ｄｂｔ−４が配置されている。
【００８６】
同図において、決済種別対応エリアＳＡＲ−１における精算装置指定ボタンＤｂｔ−１、Ｄｂｔ−２、Ｄｂｔ−３、Ｄｂｔ−４のうち、精算装置指定ボタンＤｂｔ−１については、「使用中」とのメッセージが表示されるとともに、「使用中」であるために操作が禁止であることを示す「使用中表示」が行われている。ここで「使用中」とは、精算装置３０がセミセルフモードで動作しているときは、他の取引に対応した精算処理を実行中であることを示し、精算装置３０が入金処理モードで動作しているときは、電子マネーの入金処理を実行中であることを示す。また、「使用中表示」としては、例えば赤色などの所定の色がボタン全体に施されるような態様とすることができる。このような精算装置指定ボタンＤｂｔ−１の表示は、精算装置３０−１は使用中であるため、現在は今回の取引に応じた顧客が精算に使用できないことを示している。
【００８７】
一方、決済種別対応エリアＳＡＲ−１において、残る精算装置３０−２、３０−３、３０−４は、はいずれもアクティブな状態で表示され、操作が可能な状態である。つまり、決済種別対応エリアＳＡＲ−１によっては、現金の決済種別に関しては、精算装置３０−２、３０−３、３０−４のいずれもが対応可能であることが示されている。なお、精算装置３０−１は、ここでは現金の決済種別に対応することから、使用中でなければ、アクティブ表示となる。
【００８８】
そのうえで、精算装置３０−３は、現金の決済種別のみに対応する。そこで、精算装置３０−３に対応する精算装置指定ボタンＤｂｔ−３については、最も利用が推奨されることを示す強調表示が行われる。なお、強調表示は、同図のようにボタンの枠を強調するような態様であってもよいし、例えばボタン全体に緑色を施すようなものであってもよい。
【００８９】
このような強調表示が行われることで、店員は、現金の決済種別に対応する精算装置３０−２、３０−３、３０−４のうちから、現金の決済種別のみに対応可能な精算装置３０−３を優先的に選択することができる。これにより、例えば現金の決済種別以外にも対応可能な精算装置３０−２、３０−３などが現金による精算に使用されてしまい、クレジットカードや電子マネーなどによる精算に対応できなくなるといった事態を生じにくくすることができる。
【００９０】
また、決済種別対応エリアＳＡＲ−２においては、対応の決済種別を示す「クレジットカード」との文字による決済種別表示ＰＳ−２が行われている。そのうえで、決済種別対応エリアＳＡＲ−２においても、精算装置３０−１、３０−２、３０−３、３０−４のそれぞれに対応する精算装置指定ボタンＤｂｔ−１、Ｄｂｔ−２、Ｄｂｔ−３、Ｄｂｔ−４が配置されている。
【００９１】
この決済種別対応エリアＳＡＲ−２における精算装置指定ボタンＤｂｔのうち、精算装置指定ボタンＤｂｔ−１は、決済種別対応エリアＳＡＲ−１における精算装置指定ボタンＤｂｔ−１と同様に、「使用中」のメッセージが表示されるとともに、「使用中表示」が行われ、操作が禁止の状態である。また、精算装置３０−３は、クレジットカードによる決済に対応していない。このため、精算装置３０−３に対応する精算装置指定ボタンＤｂｔ−３は、グレーアウトで表示されて操作は不可である。
【００９２】
なお、ここでは精算装置指定ボタンＤｂｔ−１に対応する精算装置３０−１は、クレジットカードによる決済に対応していない。このため、精算装置３０−１が使用中でない場合には、精算装置指定ボタンＤｂｔ−３とともに、グレーアウトで表示されて操作は不可である。
【００９３】
一方、精算装置３０−２、３０−４は、クレジットカードによる決済に対応していることから、精算装置指定ボタンＤｂｔ−２、Ｄｂｔ−４は、アクティブな状態である。
このような決済種別対応エリアＳＡＲ−２によっては、クレジットカードの決済種別に関しては、精算装置３０−２、３０−４が対応可能であるが、精算装置３０−１、３０−３についてはそれぞれ、使用不可、対応不可であることが示される。
【００９４】
決済種別対応エリアＳＡＲ−３においては、対応の決済種別を示す「電子マネー」との文字による決済種別表示ＰＳ−３が行われている。そのうえで、決済種別対応エリアＳＡＲ−３においても、精算装置３０−１、３０−２、３０−３、３０−４のそれぞれに対応する精算装置指定ボタンＤｂｔ−１、Ｄｂｔ−２、Ｄｂｔ−３、Ｄｂｔ−４が配置されている。
【００９５】
この決済種別対応エリアＳＡＲ−３における精算装置指定ボタンＤｂｔのうち、精算装置指定ボタンＤｂｔ−１に対応する精算装置３０−１については、電子マネーによる決済には対応しているものの、使用中である。このために、精算装置指定ボタンＤｂｔ−１については、決済種別対応エリアＳＡＲ−１、ＳＡＲ−２における精算装置指定ボタンＤｂｔ−１と同様に、「使用中」のメッセージが表示されるとともに、「使用中表示」が行われ、操作が禁止の状態である。なお、精算装置指定ボタンＤｂｔ−１は、使用中の状態でなければ、アクティブ表示となる。
【００９６】
また、電子マネーの利用による決済に対応していない精算装置３０−２、３０−３に対応する精算装置指定ボタンＤｂｔ−２、Ｄｂｔ−３は、グレーアウトで表示され、操作は不可である。そして、電子マネーの利用による決済に対応し、使用中でない精算装置３０−４に対応する精算装置指定ボタンＤｂｔ−４は、アクティブな状態である。
【００９７】
このような決済種別対応エリアＳＡＲ−３によっては、現在、精算装置３０−１が使用不可で、電子マネーの決済種別に関しては、精算装置３０−４が対応可能であり、精算装置３０−２、３０−３については対応不可であることが示される。
【００９８】
また、決済種別対応エリアＳＡＲ−１、ＳＡＲ−２、ＳＡＲ−３における精算装置指定ボタンＤｂｔ−４内には、「入金処理モード」のステータスメッセージＳＴＭが表示されている。これにより、精算装置３０−４は、入金処理モードで動作していることが示される。なお、「入金処理モード」のステータスメッセージＳＴＭが表示されていない場合は、「セミセルフモード」で動作していることを示している。
【００９９】
「入金処理モード」のステータスメッセージＳＴＭの表示により、精算装置３０−４は、入金処理モードで動作していることが分かり、精算装置３０−１、３０−２、３０−３は、セミセルフモードで動作していることが分かる。よって、店員は、精算装置３０−１、３０−２、３０−３、３０−４のうちから、セミセルフモードで動作している精算装置３０−１、３０−２、３０−３を優先的に選択することができる。これにより、精算装置３０−１、３０−２、３０−３の動作モードの切り替え頻度を低減することができる。
【０１００】
さらに、入金処理モードで動作している精算装置３０−４が選択されたときには、例えば「チャージモードで待機中ですが選択してもよいですか？」といったポップアップ画面を表示するようにしてもよい。これにより、精算装置３０−１、３０−２、３０−３、３０−４のうちから、セミセルフモードで動作している精算装置３０−１、３０−２、３０−３を優先的に選択させることができる。
【０１０１】
なお、以降の説明にあたり、決済種別対応エリアＳＡＲ−１、ＳＡＲ−２、ＳＡＲ−３について特に区別しない場合には、決済種別対応エリアＳＡＲと記載する。
【０１０２】
同図の精算装置指定画面Ｐ２が表示された状態のもとで、店員は、今回の取引に応じた顧客に精算装置３０で精算する際に用いる決済種別を口頭で問い合わせる。店員は、顧客から伝えられた決済種別に対応する決済種別対応エリアＳＡＲに表示された内容を確認する。
【０１０３】
ここでは、顧客から回答された決済種別が電子マネーである場合を例に挙げる。この場合、店員は、精算装置指定画面Ｐ２において電子マネーの決済種別に対応する決済種別対応エリアＳＡＲ−３を見る。決済種別対応エリアＳＡＲ−３における精算装置指定ボタンＤｂｔの表示状態を見ることで、店員は、精算装置３０のうち、精算装置３０−１、３０−４の２台が電子マネーを使用した精算処理が可能であることを把握できる。そこで、店員は、この場合にも、例えば周囲の状況などから精算装置３０−１、３０−４のうちのいずれを指定するのかを判断することができる。
【０１０４】
また、店員は、ステータスメッセージＳＴＭとして表示されているステータスの内容を参考にして精算装置３０−１、３０−４のうちのいずれを指定するのかを判断することもできる。例えば、同図の場合には、精算装置３０−４については入金処理モードで動作しているが、精算装置３０−１についてはセミセルフモードで動作していることがステータスメッセージＳＴＭの内容から把握される。そこで、店員は、精算装置３０−１がアクティブの状態であれば、セミセルフモードで動作している精算装置３０−１を指定するという判断を行うことができる。
【０１０５】
このように本実施形態の登録装置２０においては、１取引に対応する商品の登録の完了に応じた操作に応じて、精算装置指定画面Ｐ２が店員用表示部２０５に表示される。これにより、店員は、指定の決済種別に対応可能な精算装置３０が複数あるような場合であっても、精算装置３０を適切に選択することが可能になる。
【０１０６】
また、上述した実施形態では、セミセルフモード時に、精算処理を実行させるべき精算装置３０を指定する態様として、精算処理を実行させる精算装置３０を、店員が登録装置２０にて指定する態様について説明したが、これに限らず、例えば、顧客に手渡しされる精算処理用の媒体（お会計券（登録商標））を、店員が登録装置２０にて発行し、店員から手渡しされたお会計券を、顧客が１つの精算装置３０に読み取らせる態様であってもよい。すなわち、顧客が、店員から手渡しされたお会計券を精算装置３０に読み取らせることによって、複数の精算装置３０のうちから精算処理を実行させる精算装置３０を指定する。
【０１０７】
お会計券には、登録データ識別情報及び登録装置識別情報が、１次元コードまたは２次元コードのいずれかの形式で印刷されている。精算装置３０においてお会計券が読み取られた場合には、ＬＡＮ１１を介して、登録装置２０において生成された登録データ（当該お会計券に対応する登録データ）が、当該お会計券を読み取った精算装置３０に送信される。
【０１０８】
すなわち、精算装置３０は、お会計券を読み取った場合には、当該お会計券に対応する登録データ（お会計券から得られる登録データ識別情報によって識別される登録データ）を、当該お会計券に対応する登録装置２０（お会計券から得られる登録装置識別情報によって識別される登録装置２０）に要求し（要求情報を送信）、登録データを要求された登録装置２０は、要求された登録データを、要求元の精算装置３０に送信する。なお、精算装置３０は、ストアコントローラ１０を経由して、登録装置２０に登録データを要求してもよい。また、登録装置２０は、ストアコントローラ１０を経由して、精算装置３０に登録データを送信してもよい。なお、登録装置２０は、登録データ識別情報及び登録装置識別情報が、１次元コードまたは２次元コードで印刷されたお会計券に代えて、登録データが２次元コードで印刷されたお会計券を発行してもよい。精算装置３０は、登録データが２次元コードで印刷されたお会計券を読み取った場合には、当該お会計券から、直接、登録データを取得する。
【０１０９】
また、例えば、精算装置３０は、入金処理モードで動作している場合であっても、お会計券を読み取った場合、セミセルフモードで動作するようにしてもよい。
【０１１０】
次に、セミセルフモードで動作しているときの精算装置３０の精算画面について説明する。図１５は、セミセルフモードで動作しているときの精算装置が表示する、支払い方法を選択させる画面の例を示した図である。精算装置３０は、登録データを読み出した場合、図１５に示すように、支払い方法を選択させる画面を表示する。図示する例では、支払い方法を選択させるための画面には、買上金額、操作キー「現金」、「クレジット」、及び「電子マネーＡ」〜「電子マネーＤ」等が表示されている。
【０１１１】
図１５に示した支払い方法を選択させるための画面において、支払い方法として「現金」が選択された場合、精算装置３０は、預り金額等を表示する画面を表示する。図１６は、セミセルフモードで動作しているときの精算装置が表示する、預かり金額等を表示する画面を示した図である。図示する例では、硬貨投入口の位置を示すガイダンス「硬貨」、及び紙幣投入口の位置を示すガイダンス「紙幣」が点滅する画像と、模擬紙幣が紙幣投入口に投入される画像と。お買上金額と、お預り金額とが表示されている。これにより、顧客は、紙幣投入口３１３の位置を容易に把握することができる。また、顧客は、お買い上げ金額と、お預り金額とを把握することができる。
【０１１２】
図１６に示した画面を表示しているときに、顧客により現金が投入されると、精算装置３０は精算処理を行い、精算処理が完了したときには処理を終了する。なお、図１５に示した支払い方法を選択させるための画面において、支払い方法として「現金」以外が選択された場合においても、精算装置３０は、支払い方法として「現金」が選択された場合と同様に、精算処理を行う。なお、セミセルフモードで動作しているときの精算装置３０が表示する画面は、図１５や図１６に示した例に限らず、どのような画面であってもよい。
【０１１３】
また、登録装置２０から精算装置３０に対して登録データを送信する際に、送信先の精算装置を選択する画面として、図１４を例に説明したが、これに限らず、どのような画面であってもよい。
【０１１４】
図１７は、登録装置２０の表示部（店員用）２０５に表示される精算装置を選択する画面である。図示する例では、商品情報（商品コード等）に関連付けられているプリセットボタン（「いちご」「りんご」等と表示したボタン）の他に、精算処理を実行させる精算装置３０（つまり登録データを送信する精算装置３０）を指定するための精算機指定ボタン５０１（「精算機１」「精算機２」「精算機３」と表示したボタン）や、お会計券を印刷するためのお会計券ボタン５０３や、未精算一覧画面を表示するための未精算一覧ボタン５０２や、精算装置３０の動作モードを切り替えるための動作モード切り替えボタン５０４などが配置されている。
【０１１５】
なお、上述した例では、ＰＯＳシステム１において、精算装置３０は３台であるため、精算機指定ボタン５０１として、３台の夫々に対応する、精算機１、精算機２、精算機３の３つのボタンを配置している。
【０１１６】
また、図示する例では、各精算機指定ボタン５０１において、夫々に対応する精算機に関するステータス（状態や動作モード等）を表示している。具体的には、各ボタンに、夫々に対応する精算機に関するステータスをバッジで表示している。例えば、図示する場合、精算機１のボタンには「入金処理モード」がバッジで表示され、精算機２のボタンには「オフライン」がバッジで表示され、精算機３のボタンには「セミセルフ」がバッジで表示されている。「オフライン」とは、当該ボタンに対応する精算装置３０がオフライン状態であるか、当該ボタンに対応する精算装置３０の電源が投入されていない状態であることを示している。
【０１１７】
なお、バッジの表示位置は、図１７に示した表示位置（バッジの一部がボタンの表示領域外（上側）に表示されるような表示位置）に限るものではなく、バッジの全部がボタンの表示領域内に収まるような表示位置であってもよい。またステータスの表示は、バッジによるものに限るものではなく、ボタン内にステータスを示した文言（テキスト）を表示するテキスト表示領域を設け、当該表示領域にステータスを表示するようにしてもよい。また、ボタンの色をステータスに応じて変化させるようにしてもよい。
【０１１８】
また、動作モード切り替えボタン５０４を操作することで、登録装置２０から精算装置３０の動作モードを切り替えることができる。操作方法としては、動作モード切り替えボタン５０４を押下して選択状態にした後に、動作モードを切り替える精算装置３０の精算機指定ボタン５０１を押下することで、押下した精算機指定ボタン５０１に対応する精算装置３０の動作モードを切り替えることができる。
【０１１９】
例えば、動作モード切り替えボタン５０４を押下して選択状態にした後に、精算機１の精算機指定ボタン５０１を押下すると、登録装置２０は、精算機１に対応する精算装置３０に対して、動作モード切り替え指示メッセージを送信する。精算機２や精算機３に対応する精算装置３０の動作モードを切り替える場合も同様である。このように、登録装置２０は、各精算装置３０の動作モードを切り替える操作を受け付けた場合、受け付けた操作に基づいて各精算装置３０に対して動作モード切り替え指示メッセージを送信する。
【０１２０】
また、動作モード切り替え指示メッセージを受信した精算装置３０は、動作モードを切り替える。例えば、精算装置３０は、動作モード「入金処理モード」で動作しているときに動作モード切り替え指示メッセージを受信した場合、動作モードを「セミセルフモード」に切り替える。また、例えば、精算装置３０は、動作モード「セミセルフモード」で動作しているときに動作モード切り替え指示メッセージを受信した場合、動作モードを「入金処理モード」に切り替える。これにより、登録装置２０は、各精算装置３０の動作モードを切り替える操作を受け付け、受け付けた操作に基づいて各精算装置３０の動作モードを切り替えることができる。
【０１２１】
なお、登録装置２０から精算装置３０の動作モードを切り替える方法と同様に、ストアコントローラ１０から精算装置３０の動作モードを切り替えることができるようにしてもよい。
【０１２２】
また、精算装置３０の前面側と背面側に表示部３０５をそれぞれ設け、顧客側に現金決済可能な決済部３１０を向けた対面型の精算装置３０としてもよい。なお、スキャナ部３０４は、前面側と背面側にそれぞれ設けてもよく、１つのスキャナ部３０４を共通で使用してもよい。例えば、スキャナ部３０４を回転させることができる構成とし、回転させることによりスキャナ部３０４を前面側と背面側に任意に移動させることができるようにしてもよい。また、例えば、精算装置３０の本体とスキャナ部３０４とを接続するケーブルを長くすることで、前面側と背面側の両方で使用できるようにしてもよい。
【０１２３】
図１８は、本実施形態において前面側と背面側に表示部３０５および操作部３０６をそれぞれ設けた精算装置３０の外観例を示した図である。図示する例では、前面側を客側とし、背面側を店員側として精算装置３０を使用している。
【０１２４】
図１８（Ａ）は、セミセルフモードとして動作しているときの例を示している。店員が、背面側に設けられた表示部３０５および操作部３０６や、スキャナ部３０４を用いて買上商品の登録を行った後、客が決済部３１０を操作して精算処理を行っている。
【０１２５】
図１８（Ｂ）は、フルセルフモードとして動作しているときの例を示している。図示する例では、客が、前面側に設けられた表示部３０５および操作部３０６や、スキャナ部３０４を用いて買上商品の登録を行って決済部３１０を操作して精算処理を行っている。
【０１２６】
このように、精算装置３０の前面側と背面側に表示部３０５および操作部３０６をそれぞれ設けることにより、店員が買上商品の登録を行って客が精算処理を行うセミセルフモードと、客が買上商品の登録を行って精算処理を行うフルセルフモードとして精算装置３０を動作させることができる。
【０１２７】
なお、操作部３０６に切り替えキーを設け、切り替えキーを押下することでセミセルフモードとフルセルフモードの動作を切り替えることができるようにしてもよい。また、精算装置３０は、フルセルフモードで動作しているときは、背面側（店員側）の表示部３０５には、フルセルフモードで動作している旨を示す表示を行うようにしてもよい。
【０１２８】
なお、精算装置３０の動作モードとして、セミセルフモードとフルセルフモードとを切り替える方法は、切り替えキーの押下に限らず、どのような方法を用いてもよい。例えば、スキャナ部３０４を回転させることができる構成とし、回転させることによりスキャナ部３０４を前面側（客側）に移動させた場合には、精算装置３０はフルセルフモードとして動作し、回転させることによりスキャナ部３０４を背面側（店員側）に移動させた場合には、精算装置３０はセミセルフモードとして動作するようにしてもよい。また、精算装置３０に決済端末（電子マネー、クレジット端末）を設けて回転させることができる構成とし、回転させることにより決済端末を前面側（客側）に移動させた場合には、精算装置３０はフルセルフモードとして動作し、回転させることにより決済端末を背面側（店員側）に移動させた場合には、精算装置３０はセミセルフモードとして動作するようにしてもよい。
【０１２９】
また、例えば、精算装置３０の前面側と背面側にスキャナ部３０４をそれぞれ設け、前面側（客側）のスキャナ部３０４が使用された場合には、精算装置３０はフルセルフモードとして動作し、背面側（店員側）のスキャナ部３０４が使用された場合には、精算装置３０はセミセルフモードとして動作するようにしてもよい。
【０１３０】
また、例えばコンビニエンスストアで買上商品の登録を行う場合、最初にスキャナ部３０４で店員バーコードを読み取ってから買上商品の登録を行うことが多い。よって、スキャナ部３０４で店員バーコードを読み取ることで、フルセルフモードから、セミセルフモードに切り替えるようにしてもよい。また、精算装置３０は、精算処理が完了したとき（例えば、精算処理が完了した直後、または精算処理が完了してから所定時間経過後）に、セミセルフモードからフルセルフモードに切り替えるようにしてもよい。このように、自動的にフルセルフモードに切り替えることで、効率よく精算できるようになる。
【０１３１】
また、精算装置３０が登録処理や精算処理を行っているときにはセミセルフモードとフルセルフモードとを切り替えることが出来ないようにし、待機中のときだけセミセルフモードとフルセルフモードとを切り替えることができるようにしてもよい。
【０１３２】
また、セミセルフモードとフルセルフモードとを切り替える方法として、音声で「モード切り替え」などと入力すると切り替わるようにしてもよい。例えば、精算装置３０に音声入力装置を設けてもよく、外部端末（例えば、上位サーバ、店員が持つ携帯端末など）で音声を入力するようにしてもよい。
【０１３３】
また、背面側（店員側）の表示部３０５あるいは操作部３０６に切り替えキーを設けた場合において、切り替えキーの操作によってセミセルフモードからフルセルフへモードに切り替わった後に、再びセミセルフモードへ切り替える際には、フルセルフモードでの精算処理が完了していない場合、切り替えキーの実行を禁止するようにしてもよい。
【０１３４】
また、背面側（店員側）と前面側（客側）との両方に表示部３０５を設けた場合において、フルセルフモードに切り替えた場合、買上商品の登録が完了した後、所定時間経過後に精算処理が完了しない場合に、背面側（店員側）の表示部３０５にエラーを表示するようにしてもよい。
【０１３５】
また、精算装置３０がセミセルフモードとして動作している場合、店員側で公共料金の支払い処理を行うときに、客側で別の商品を登録できるようにしてもよい。なお公共料金の支払い処理に限らず、店員側で予約販売、チケット発行、切手販売、タバコなど、通常商品とは異なり、決済方法が制限されている（現金のみ販売可）ために別会計になる可能性のあるものについて支払い処理を行っている場合においても、客側で別の商品を登録できるようにしてもよい。これにより、買上商品の登録処理に要する時間を大幅に短縮することができる。このとき、店員側で登録した商品と、顧客側で登録した商品とを区別して表示するようにしてもよい。これにより、客が誤登録や不正登録していたとしても気づきやすくできる。
【０１３６】
なお、公共料金等のように決済方法に制限がなくても、惣菜や中華まん、ドーナツ、コーヒーなど店員だけが取り出し可能な商品の場合においても、店員側でこれらの登録処理を行っているときに、客側で別の商品を登録できるようにしてもよい。この場合においても、買上商品の登録をオーバーラップでき、買上商品の登録処理に要する時間を大幅に短縮することができる。
【０１３７】
また、スキャナ部３０４を店員側と客側に備え、店員側と客側の両方で買上商品の登録を行うことができるようにしてもよい。この場合においても、買上商品の登録をオーバーラップでき、買上商品の登録処理に要する時間を大幅に短縮することができる。
【０１３８】
また、精算装置３０がフルセルフモードで動作しているときに、タバコ、中華まん、ドーナツ、コーヒーなど、店員が取り出すしかない商品について、客が表示部３０５を操作して登録する、媒体上のバーコードをスキャナ部３０４で読み取ることで登録する、無線タグなどで登録した場合、店員がいるセミセルフモードの精算装置３０に、どの精算装置３０であるかを示す情報（例えば精算装置３０の番号など）を併せて報知するようにしてもよい。なお、店員が取り出す必要がある商品かという情報と、どの精算装置３０であるかを示す情報を併せて報知する際には、登録された商品名を併せて報知するようにしてもよい。報知の方法は、例えば、ポップアップ表示、音声、振動、レシート出力などで報知するようにしてもよい。そして、店員はその報知をもとにセミセルフモードでの客の対応などが終わった後に、報知された商品を持ってフルセルフモードで動作している精算装置３０に向かうようにしてもよい。これにより、フルセルフモードで動作している精算装置３０に向かう前に商品を取ることができるため、二度手間を省くことができる。
【０１３９】
また、精算装置３０がフルセルフモードで動作しているときに、タバコ、中華まんなど、店員が取り出すしかない商品について、客が表示部３０５を操作して登録する、媒体上のバーコードをスキャナ部３０４で読み取ることで登録する、無線タグなどで登録した場合、店員がいるセミセルフモードの精算装置３０にその旨を報知するようにしてもよい。このときに、当該商品が置かれた棚などの収納場所について報知するようにしてもよい。報知の方法は、例えば、収納場所のランプ等が点灯、点滅、「音声で○○が選択されました」と出力するようにしてもよい。これにより、より簡単に店員が商品を選択することができる。なお、セミセルフモードで動作しているときにおいても、当該商品が置かれた棚などの収納場所について報知するようにしてもよい。
【０１４０】
また、精算装置３０の前面と背面とに決済部３１０を設け、セミセルフモードとフルセルフモードの他に、店員が買上商品の登録と精算処理とを行う通常モードで精算装置３０が動作するようにしてもよい。精算装置３０は、通常モードで動作するときにおいても、セミセルフモードで動作するときと同様に、上述した処理を行うことができるようにしてもよい。
【０１４１】
また、上記各実施形態において、複数の精算装置３０のうちから精算処理を実行させる精算装置３０を指定する態様としては、精算処理を実行させる精算装置３０を、店員が登録装置２０にて指定する態様（第１の指定態様）と、客に手渡しされるお会計券を登録装置２０から発行させ、店員から手渡しされたお会計券を、客が１つの精算装置３０に読み取らせる態様（第２の指定態様）とを挙げている。しかながら、精算装置３０を指定する態様としては、上記の態様に限定されない。例えば、以下のように精算装置３０を指定する態様であってもよい。
【０１４２】
１つの態様として、商品登録の完了に応じて店員用表示部２０５に表示された送信ボタンに対して行われた操作に応じて（あるいは商品登録の完了を宣言するような操作であってもよい）、登録装置２０が、例えば精算装置３０に状態の問合せを行って精算処理が可能な（例えば、障害が発生しておらず、使用中でもない）精算装置３０を認識し、使用中でない精算装置３０のうちから所定の規則（例えば精算装置番号順）に従って、１つの精算装置３０を決定する。そして、登録装置２０は、決定した精算装置３０に精算情報を送信して精算処理の実行を指示する。
【０１４３】
もう１つの態様として、予め精算装置３０について精算処理の優先順位を設定しておくようにする。そのうえで、商品登録の完了に応じて、店員用表示部２０５に精算装置３０への精算情報の送信を指示する送信ボタンの操作が有効となるように表示する。送信ボタンが操作されたことに応じて、登録装置２０は、設定された優先順位に従った順で精算装置３０の精算処理が可能であるか否かを確認し、精算処理が可能であることが確認されなければ、優先順位が次の精算装置３０について確認するようにする。そのうえで、登録装置２０は、最初に精算処理が可能であることが確認された精算装置３０に精算情報を送信して精算処理の実行を指示する。
【０１４４】
もう１つの態様として、登録装置２０は、全ての精算装置３０に精算情報を送信する。精算情報を受信した精算装置３０は、自己が受信した精算情報に含まれる精算情報を利用して精算処理を実行可能な状態となると、自己が精算処理を実行することを通知する精算処理実行通知を精算情報の送信元の登録装置２０に送信する。
【０１４５】
登録装置２０は、精算処理実行通知の受信に応じて、精算処理実行通知の送信先の精算装置３０を示す表示（精算処理実行表示）を行う。店員は、精算処理実行表示を見て、精算処理を実行する精算装置３０がいずれであるのかを客に伝えればよい。
【０１４６】
この際、精算処理実行表示とともに、精算処理実行通知を送信した精算装置３０のサインポール３１１を所定のパターンで点灯させたり、精算装置３０から所定の報知音を出力させたりすることで、自己が精算処理を実行することを報知するようにしてよい。
【０１４７】
もう１つの態様として、登録装置２０にて商品登録を終えた商品が容れられた買い物カゴを、店員が、精算装置３０ごとに対応して設置されたカゴ置き場のうちのいずれかに買い物カゴを移動させる。
【０１４８】
カゴ置き場には、載置された買い物カゴを検出するセンサが備えられる。センサによりカゴ置き場買い物カゴが載置されたことが判定されると、対応の精算装置３０が要求を行って、登録装置２０から対応の精算情報を取得し、精算処理を実行するようにされる。
【０１４９】
この場合にも、精算処理を実行することとなった精算装置３０が、サインポール３１１の点灯や報知音の出力などにより、自己が精算処理を実行することを報知するようにしてよい。
【０１５０】
もう１つの態様として、登録装置２０は、精算情報と、複数の精算装置３０間での転送順を設定した転送順情報とを含む精算指示情報を、或る１つの精算装置３０に送信する。転送順情報は、精算装置３０間で循環的に転送順を指定するものであってよい。
【０１５１】
精算指示情報を受信した精算装置３０は、自己が精算処理を実行可能であれば、精算指示情報の送信元の登録装置２０に対して、精算処理実行通知を送信し、受信された精算指示情報に含まれる精算情報を利用して精算処理を実行する。
【０１５２】
一方、精算指示情報を受信した精算装置３０は、自己が精算処理を実行不可である場合、受信された精算指示情報に含まれる転送順情報に従って、転送順が次の精算装置３０に対して、受信された精算指示情報を転送する。このようにして、精算装置３０間で精算指示情報が順次転送されるようにすることによっても、精算処理を実行させるべき精算装置３０の指定に相当する手順が実現される。
【０１５３】
なお、上述の登録装置２０及び精算装置３０などとしての機能を実現するためのプログラムをコンピュータ読み取り可能な記録媒体に記録して、この記録媒体に記録されたプログラムをコンピュータシステムに読み込ませ、実行することにより上述の登録装置２０及び精算装置３０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１５４】
また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１５５】
１０・・・ストアコントローラ、１１・・・ＬＡＮ、２０・・・登録装置、３０・・・精算装置、２０１・・・ＣＰＵ、２０２・・・ＲＯＭ、２０３・・・ＲＡＭ、２０４・・・スキャナ部、２０５・・・表示部（店員用）、２０５ａ・・・表示部（客用）、２０６・・・操作部、２０７・・・通信部、２０８・・・ブザー、２０９・・・印刷部、３０１・・・ＣＰＵ、３０２・・・ＲＯＭ、３０３・・・ＲＡＭ、３０４・・・スキャナ部、３０５・・・表示部、３０６・・・操作部、３０７・・・通信部、３０８・・・ブザー、３０９・・・印刷部、３１０・・・決済部、３１１・・・サインポール、３１２・・・人感知センサ
【図１】
2019016018.tif 000003
【図２】
2019016018.tif 000004
【図３】
2019016018.tif 000005
【図４】
2019016018.tif 000006
【図５】
2019016018.tif 000007
【図６】
2019016018.tif 000008
【図７】
2019016018.tif 000009
【図８】
2019016018.tif 000010
【図９】
2019016018.tif 000011
【図１０】
2019016018.tif 000012
【図１１】
2019016018.tif 000013
【図１２】
2019016018.tif 000014
【図１３】
2019016018.tif 000015
【図１４】
2019016018.tif 000016
【図１５】
2019016018.tif 000017
【図１６】
2019016018.tif 000018
【図１７】
2019016018.tif 000019
【図１８】
2019016018.tif 000020